(57)【要約】【課題】室内のイオン分布を均一化できる空気清浄機を提供する。【解決手段】吸気口１３から取り込まれた室内の空気を浄化して、上部に設けられた吹出口１５から上方に送出する空気清浄機１において、舌部３３を有して渦巻き状の気流路３４を形成するケーシング３２内に羽根車３１を配して上方に排気する送風機３０と、気流路３４内にイオンを放出するイオン発生装置４０と、舌部３３と吹出口１５との間に配されるとともに鉛直に延びて羽根車３１の回転軸に平行な複数の整流板３５とを備えた。【選択図】図６
2007151998.tif 000002
【特許請求の範囲】
【請求項１】
吸気口から取り込まれた室内の空気を浄化して、上部に設けられた吹出口から上方に送出する空気清浄機において、舌部を有して渦巻き状の気流路を形成するケーシング内に羽根車を配して上方に排気する送風機と、前記気流路内にイオンを放出するイオン発生装置と、前記舌部と前記吹出口との間に配されるとともに鉛直に延びて前記羽根車の回転軸に平行な複数の整流板とを備えたことを特徴とする空気清浄機。
【請求項２】
前記整流板の鉛直方向の長さを３０〜５０ｍｍにしたことを特徴とする請求項１に記載の空気清浄機。
【請求項３】
前記気流路の幅が前記舌部から前記吹出口と略等しい幅まで拡大された位置に前記整流板を設けたことを特徴とする請求項１または請求項２に記載の空気清浄機。
【請求項４】
前記イオン発生装置によりＨ+（Ｈ2Ｏ）nから成るプラスイオンとＯ2-（Ｈ2Ｏ）mから成るマイナスイオン（ｍ、ｎは自然数）とを放出することを特徴とする請求項１〜請求項３のいずれかに記載の空気清浄機。
【請求項５】
吸気口から取り込まれた室内の空気を浄化して、上部に設けられた吹出口から上方に送出する空気清浄機を備えた空気清浄方法において、前記空気清浄機は舌部を有して渦巻き状の気流路を形成するケーシング内に羽根車を配して上方に排気する送風機と、前記気流路内にイオンを放出するイオン発生装置と、前記舌部と前記吹出口との間に配されるとともに鉛直に延びて前記羽根車の回転軸に平行な複数の整流板とを備え、前記吹出口から送出された空気を室内の天井面に沿って流通させることを特徴とする空気清浄方法。
【発明の詳細な説明】
【技術分野】
【０００１】
本発明は、イオン発生装置を有し、室内の空気を浄化して室内に送出する空気清浄機及びそれを備えた空気清浄方法に関する。
【背景技術】
【０００２】
従来の空気清浄機は特許文献１に開示されている。図１１は、この空気清浄機を示す正面断面図である。空気清浄機１は前面に吸気口（不図示）が設けられた本体部１０を有し、吸気口に対向するフィルターユニット（不図示）が本体部１０に装着されている。本体部１０内にはフィルターユニットの後方に送風機３０が設けられる。
【０００３】
送風機３０は舌部３３を有して渦巻き状の気流路３４を形成するケーシング３２内に羽根車３１を配置した遠心ファンから成っている。羽根車３１の回転により軸方向に吸気して周方向に排気する。本体部１０の背面側上部の傾斜面には吹出口１５が上方に向かって開口し、気流路３４は舌部３３により吹出口１５に向かって上方へ行くほど拡幅されている。また、ケーシング３２には気流路３４内にイオンを放出するイオン発生装置４０が取り付けられている。
【０００４】
上記構成の空気清浄機１において、送風機３０の駆動により前面の吸気口から本体部１０内に取り込まれた室内の空気はフィルターユニットで集塵される。塵埃が除去された空気は羽根車３１の軸方向からケーシング３２内に流入し、矢印Ａに示すように羽根車３１の周方向に気流路３４を流通する。
【０００５】
気流路３４を流通する空気にはイオン発生装置４０から放出されたイオンが含まれ、舌部３３によって気流幅を広げながら上方に導かれて吹出口１５から室内に送出される。これにより、室内の空気を浄化するとともに、イオンによって浮遊菌の殺菌効果やリラクゼーション効果を得ることができる。
【特許文献１】特開２００２−７８７８８号公報（第３頁−第５頁、第３図）
【発明の開示】
【発明が解決しようとする課題】
【０００６】
しかしながら、上記従来の空気清浄機によると、送風機３２の気流路３４が渦巻き状に形成されるため、吹出口１５から室内に送出される空気は矢印Ｂに示すように図中、右方向に偏って送出される。このため、室内のイオンの分布が不均一になり、室内全体に亙って浮遊菌の殺菌効果やリラクゼーション効果を迅速に得ることが困難な問題があった。
【０００７】
本発明は、室内のイオン分布を均一化できる空気清浄機を提供することを目的とする。
【課題を解決するための手段】
【０００８】
上記目的を達成するために本発明は、吸気口から取り込まれた室内の空気を浄化して、上部に設けられた吹出口から上方に送出する空気清浄機において、舌部を有して渦巻き状の気流路を形成するケーシング内に羽根車を配して上方に排気する送風機と、前記気流路内にイオンを放出するイオン発生装置と、前記舌部と前記吹出口との間に配されるとともに鉛直に延びて前記羽根車の回転軸に平行な複数の整流板とを備えたことを特徴としている。
【０００９】
この構成によると、送風機の駆動により吸気口から取り込まれた室内の空気はフィルター等により集塵され、ケーシング内の渦巻き状の気流路を流通する。気流路内にはイオン発生装置からイオンが放出され、塵埃を除去されてイオンを含んだ空気は舌部により気流幅を拡大しながら上方に導かれる。該空気は整流板によって整流され、気流方向が鉛直上方に一定の層流となって吹出口から室内に送出される。
【００１０】
また本発明は、上記構成の空気清浄機において、前記整流板の鉛直方向の長さを３０〜５０ｍｍにしたことを特徴としている。
【００１１】
また本発明は、上記構成の空気清浄機において、前記気流路の幅が前記舌部から前記吹出口と略等しい幅まで拡大された位置に前記整流板を設けたことを特徴としている。この構成によると、塵埃を除去されてイオンを含んだ空気は舌部により気流幅を拡大し、吹出口と略等しくなると整流板によって整流される。
【００１２】
また本発明は、上記構成の空気清浄機において、前記イオン発生装置によりＨ+（Ｈ2Ｏ）nから成るプラスイオンとＯ2-（Ｈ2Ｏ）mから成るマイナスイオン（ｍ、ｎは自然数）とを放出することを特徴としている。
【００１３】
また本発明は、吸気口から取り込まれた室内の空気を浄化して、上部に設けられた吹出口から上方に送出する空気清浄機を備えた空気清浄方法において、前記空気清浄機は舌部を有して渦巻き状の気流路を形成するケーシング内に羽根車を配して上方に排気する送風機と、前記気流路内にイオンを放出するイオン発生装置と、前記舌部と前記吹出口との間に配されるとともに鉛直に延びて前記羽根車の回転軸に平行な複数の整流板とを備え、前記吹出口から送出された空気を室内の天井面に沿って流通させることを特徴としている。
【発明の効果】
【００１４】
本発明の空気清浄装置によると、イオン発生装置を有し、鉛直に延びて羽根車の回転軸に平行な複数の整流板を渦巻き状の気流路の舌部と吹出口との間に配したので、イオンを含んだ空気が吹出口から均一に鉛直上方に送出され、左右に分かれて流通させることができる。従って、室内のイオンの分布を均一化し、迅速に浮遊菌の殺菌効果やリラクゼーション効果を得ることができる。
【００１５】
また本発明の空気清浄装置によると、整流板の鉛直方向の長さを３０〜５０ｍｍにしたので、室内のイオンの分布を均一にできる空気清浄機を容易に実現することができる。
【００１６】
また本発明の空気清浄装置によると、気流路の幅が舌部から吹出口と略等しい幅まで拡大された位置に整流板を設けたので、吹出口の幅まで広がらない気流を整流することによって生じる左右方向の一方への偏りを防止することができる。
【００１７】
また本発明の空気清浄装置によると、イオン発生装置によりＨ+（Ｈ2Ｏ）nから成るプラスイオンとＯ2-（Ｈ2Ｏ）mから成るマイナスイオン（ｍ、ｎは自然数）とを放出するので、室内の浮遊菌を迅速に殺菌することができる。
【００１８】
また本発明の空気清浄方法によると、整流板で整流して吹出口から鉛直上方に送出した空気を室内の天井面に沿って流通させるので、室内の天井面に沿って左右に分かれてイオンが室内に行き渡る。従って、室内の壁面のカビの発生を抑制できるとともに家具等の背後にイオンを流通させて室内全体を殺菌することができる。
【発明を実施するための最良の形態】
【００１９】
以下に本発明の実施形態を図面を参照して説明する。図１は一実施形態の空気清浄機の前面を示す斜視図である。空気清浄機１はベース１１で支持される本体部１０を有し、本体部１０の前面が前面カバー１２で覆われる。ベース１１により空気清浄機１を床面に設置することができる。
【００２０】
前面カバー１２には室内の空気を前面から取り込む吸気口１３が設けられている。前面カバー１２と本体部１０との間は隙間が設けられ、該隙間によって室内の空気を側方から取り込む側方吸気口１４が形成されている。本体部１０の上部には使用者が操作する操作パネル８０が設けられる。
【００２１】
図２は空気清浄機１の背面を示す斜視図である。本体部１０の背面側上部には空気清浄機１の運搬時に把持する取っ手１７が形成される。本体部１０は取っ手１７の下方が傾斜面に形成され、該傾斜面には空気清浄機１により浄化した空気を吹出す吹出口１５が設けられる。また、本体部１０の背面には壁掛け孔１８が設けられる。壁掛け孔１８により空気清浄機１を壁面に掛けることができる。
【００２２】
図３、図４は空気清浄機１の分解斜視図及び本体部１０の斜視図を示している。本体部１０は正面から見て矩形の凹部２４が前面に形成される。凹部２４にはフィルターユニット２０が配設される。凹部２４の背壁にはフィルターユニット２０を通過した空気が通過する通風口２５が設けられる。
【００２３】
フィルターユニット２０は前方側から順に配されたプレフィルター２１、脱臭フィルター２２及び集塵フィルター２３から成っている。プレフィルター２１はポリプロピレンから成り、空気中の大型の塵埃を捕集する。脱臭フィルター２２は矩形の枠に二重に取り付けられたポリエステル製の不織布間に活性炭が均一に分散配置された三層構造を成している。脱臭フィルター２２によって空気中のアセトアルデヒド、アンモニア、酢酸等の臭気成分を吸着する。
【００２４】
集塵フィルター２３はＨＥＰＡフィルターから成り、濾材（不図示）を覆うように枠材（不図示）がホットメルトにより溶着されている。濾材はポリエステル／ビニロン系の不織布から成る骨材とメルトブロー不織布とを重ね合わせ、折り畳んで構成される。メルトブロー不織布として電石加工された東レ株式会社製トレミクロン（登録商標）が用いられる。また、濾材の表面にはハイドロキシアパタイト加工した不織布から成る抗菌シートが重ねて熱圧着されている。集塵フィルター２３によって空気中の微細な塵埃を捕集する。
【００２５】
図５、図６は空気清浄機１の側面断面図及び正面断面図を示している。凹部２４の背壁の後方には送風機３０が配される。送風機３０は舌部３３を有して渦巻き状の気流路３４を形成するケーシング３２内に羽根車３１を配置したターボファンから成っている。羽根車３１は放射状の羽根３１ｂがモータ３１ａと一体に設けられる。モータ３１ａの駆動により、送風機３０は軸方向に吸気して矢印Ａに示すように周方向に排気する。送風機３０としてターボファン以外の遠心ファン（シロッコファン等）やクロスフローファンを用いてもよい。
【００２６】
気流路３４は舌部３３により上方へ行くほど拡幅され、舌部３３と吹出口１５との間には鉛直方向に延びて羽根車３１の回転軸に平行な複数の整流板３５が設けられている。また、送風機３０の排気側の気流路３４にはイオンを放出するイオン発生装置４０が設けられている。
【００２７】
イオン発生装置４０は高圧電圧の印加によりイオンを発生するイオン発生素子１０１（図７参照）が気流路３４に面して配されている。イオン発生装置４０を送風機３０の排気側に配置することにより送風機３０との衝突によるイオンの消滅を防止することができる。
【００２８】
図７はイオン発生装置４０を示す側面図である。また、図８、図９はイオン発生装置４０のイオン発生素子１０１を示す正面図及び斜視図である。イオン発生装置４０はイオン発生素子１０１及び電圧印加回路Ｖから成っている。イオン発生素子１０１は誘電体１０４を介して対向配置される放電電極１０５及び誘導電極１０６を有している。
【００２９】
放電電極１０５は平板状の誘電体１０４上に形成され、誘導電極１０６は誘電体１０４の放電電極１０５に対向するように埋設される。誘電体１０４は円板、楕円板、多角形板等の平板状に形成される。誘電体１０４を円柱状にしてもよいが、平板状にすると生産性がよい。
【００３０】
誘電体１０４の材料として、ポリイミドやガラスエポキシ等の耐酸化性に優れた有機物を用いることができる。また、セラミック（高純度のアルミナ、結晶化ガラス、フォルステライト、ステアタイト等）等の無機物を用いてもよい。誘電体１０４を無機物にする方が耐食性が高いためより望ましい。成形性や後述する電極の形成の容易性からセラミックを用いると更に望ましい。また、密度ばらつきが少ない材料を用いると誘電体１０４の絶縁率を均一にでき、放電電極１０５と誘導電極１０６との間の絶縁抵抗を均一にできる。
【００３１】
放電電極１０５及び誘導電極１０６は導電性を有するものであれば特に制限なく使用することができるが、放電による溶融等の変形を起こさないものにする必要がある。放電電極１０５は誘電体１０４の表面に誘電体１０４と一体に均一な厚みで形成される。放電電極１０５の形状として平面状、格子状、線状等の形状にすることができる。放電電極１０５を格子状や線状にすると電界集中が起こり易く、印加電圧が低くても放電させることができるためより望ましい。
【００３２】
放電電極１０５と誘導電極１０６との間の絶縁抵抗は均一であることが望ましく、誘導電極１０６は放電電極１０５と平行に形成される。このため、誘電体１０４内部に埋設される誘電電極１０６は放電電極１０５との距離（以下、「電極間距離」という）が一定になるように設けられる。
【００３３】
これにより、放電電極１０５と誘導電極１０６との間の放電状態が安定し、イオンを安定して発生させることができる。尚、誘電体１０４を円柱状にした場合は、放電電極１０５を誘電体１０４の外周面に設けて誘導電極１０６を軸上に設けることによって電極間距離を一定にすることができる。
【００３４】
誘電体１０４の放電電極１０５を設けた面に対向する面には放電電極接点１０８、誘導電極接点１０７及び抵抗接点（不図示）が設けられる。放電電極接点１０８は放電電極１０５に導通して放電電極１０５に電力を供給する。誘電電極接点１０７は誘電電極１０５に導通して誘電電極１０５に電力を供給する。抵抗接点は抵抗が溶着される。
【００３５】
放電電極接点１０８及び誘導電極接点１０７にはそれぞれ銅線やアルミ線等のリード線の一端が結線され、これらのリード線の他端が電圧印加回路Ｖに接続される。放電電極接点１０８及び誘電電極接点１０７は誘電体１０４の表面であればどこに設けても、リード線との接続を容易にできる。
【００３６】
しかしながら、放電電極接点１０８及び誘導電極接点１０７はそれぞれ放電電極１０５及び誘電電極１０６と同電位となる。このため、誘導電極１０６と放電電極接点１０８との距離を電極間距離よりも大きくし、放電電極１０５と誘電電極接点１０７との距離を電極間距離よりも大きくするとよい。これにより、安定した放電を行うことができる。加えて、放電電極接点１０８と誘導電極接点１０７との距離も電極間距離よりも大きく形成するとよい。
【００３７】
また、放電電極接点１０８及び誘導電極接点１０７を放電電極１０５と異なる面に設けているので、放電電極１０５を設けた面にリード線等の配線が配置されない。このため、イオンが発生する放電電極１０５の表面を気流が流通しても、リード線による気流の乱れを防止することができる。
【００３８】
放電電極１０５及び誘導電極１０６は電圧印加回路Ｖに接続され、これらの間に電圧が印加される。イオン発生素子１０１が一つの場合にプラスイオンとマイナスイオンの両方を発生させるためには、放電電極１０５と誘導電極１０６との間の印加電圧を交番電圧にする必要がある。
【００３９】
交番電圧は一般的に商用電源に用いられる正弦波状の交番電圧（交流電圧）でもよく、矩形波状の交番電圧や他の波形を用いた交番電圧でもよい。尚、放電電極１０５をグランドに接続して接地電位とし、誘導電極１０６を電圧印加回路Ｖに接続してもよい。また、放電電極１０５を電圧印加回路Ｖに接続し、誘導電極１０６をグランドに接続して接地電位としてもよい。
【００４０】
放電電極１０５と誘導電極１０６との間の印加電圧が正電圧の場合は主としてＨ+（Ｈ2Ｏ）nから成るプラスイオンを発生し、負電圧の場合は主としてＯ2-（Ｈ2Ｏ）mから成るマイナスイオンを発生する。ここで、ｎ、ｍは任意の自然数である。Ｈ+（Ｈ2Ｏ）n及びＯ2-（Ｈ2Ｏ）mは空気中の浮遊菌や臭気成分の表面で凝集してこれらを取り囲む。
【００４１】
そして、式（１）〜（３）に示すように、衝突により活性種である［・ＯＨ］（水酸基ラジカル）やＨ2Ｏ2（過酸化水素）を微生物等の表面上で凝集生成して浮遊菌や臭気成分を破壊する。ここで、ｎ’、ｍ’は任意の自然数である。従って、プラスイオン及びマイナスイオンを発生して吹出口１５から送出することにより室内の殺菌及び臭い除去を行うことができる。また、マイナスイオンのみを発生して室内に送出することにより、リラクゼーション効果を得ることができる。
【００４２】
Ｈ+（Ｈ2Ｏ）n＋Ｏ2-（Ｈ2Ｏ）m→・ＯＨ＋1/2Ｏ2＋（ｎ＋ｍ）Ｈ2Ｏ  ・・・（１）
Ｈ+（Ｈ2Ｏ）n＋Ｈ+（Ｈ2Ｏ）n'＋Ｏ2-（Ｈ2Ｏ）m＋Ｏ2-（Ｈ2Ｏ）m'                                  →2・ＯＨ＋Ｏ2＋（ｎ＋ｎ’＋ｍ＋ｍ’）Ｈ2Ｏ  ・・・（２）
Ｈ+（Ｈ2Ｏ）n＋Ｈ+（Ｈ2Ｏ）n'＋Ｏ2-（Ｈ2Ｏ）m＋Ｏ2-（Ｈ2Ｏ）m'                                  →Ｈ2Ｏ2＋Ｏ2＋（ｎ＋ｎ’＋ｍ＋ｍ’）Ｈ2Ｏ  ・・・（３）
【００４３】
図１０は空気清浄機１の構成を示すブロック図である。空気清浄機１は操作パネル８０（図１参照）の背面に配された各部を制御するマイクロコンピュータ８９を有している。マイクロコンピュータ８９には制御部８９、スイッチ判定部８３、センサ判定部８６、イオン発生駆動回路８５が設けられる。
【００４４】
スイッチ判定部８３にはリモコン受信部５８及び運転切替ボタン５１が接続される。リモコン受信部５８はリモートコントローラ（不図示）から送信された赤外線信号を受光ユニットにより「Ｈｉｇｈ」または「Ｌｏｗ」信号に変換する。運転切替ボタン５１は操作パネル８０（図１参照）に設けられ、空気清浄機１の運転モードの切り替えを指示する。スイッチ判定部８３はリモコン受信部５８及び運転切替ボタン５１から受けとった信号の指示内容を判定し、判定結果を制御部８９に送る。
【００４５】
センサ判定部８６には埃センサ８７及び臭いセンサ８８が接続される。埃センサ８７は発光素子と受光素子の組み合わせにより、室内の塵埃の状態に応じて出力電圧を可変する。即ち、室内の塵埃の量が多いほど出力電圧が大きくなり、塵埃の粒子が大きいと出力電圧が大きくなる。これにより、継続して発せられる煙草の煙を検知すると小さい電圧が連続して出力される。通常の埃を検知すると煙草の煙よりも大きな電圧が不連続に出力される。また、埃よりも大きな花粉等の粒子を検知すると、埃よりも大きい電圧が不連続に出力される。従って、煙草の煙、埃、花粉を区別して判定することができる。
【００４６】
臭いセンサ８８は金属酸化物半導体から成り、センサー表面にガス成分が吸着すると抵抗値が変化することにより出力電圧を可変する。これにより、煙草や生活臭等の臭気成分を検出する。センサ判定部８６は埃センサ８７及び臭いセンサ８８から受け取った出力電圧を判定し、判定結果を制御部８９に送る。
【００４７】
イオン発生駆動回路８５はイオン発生装置４０に接続され、スイッチ判定部８３やセンサ判定部８６の判定結果に応じてイオン発生装置４０の動作モードを切り替えて駆動する。また、制御部８９には送風駆動回路８４が接続される。送風駆動回路８４は送風機３０に接続され、送風機３０を駆動して回転数を制御する。制御部８９はＣＰＵから成り、センサ判定部８６やスイッチ判定部８３の判定結果に応じて送風駆動回路８４やイオン発生駆動回路８５を制御する。
【００４８】
また、図示しない電源回路や電源クロック回路が設けられる。電源回路は商用電源を整流・平滑し、各部に電力を供給する。電源クロック回路は電源回路の一次側電圧波形を方波形信号に変換する。また、制御部８９は出力が一定時間以上「Ｈｉｇｈ」または「Ｌｏｗ」信号を継続して受け取ると停電と判定し、臭いセンサ８８、埃センサ８７の駆動や操作パネル８０の表示を停止する。
【００４９】
上記構成の空気清浄機１において、操作パネル８０の操作によって運転を開始すると、埃センサ８７及び臭いセンサ８８により塵埃量や臭気成分が検知される。埃センサ８７及び臭いセンサ８８の検知結果に基づいて、予め設定した汚れ度等に応じて送風機３０の風量（強〜弱・静音）が制御される。
【００５０】
これにより、室内の空気は吸気口１３及び側方吸気口１４から本体部１０内に取り込まれ、プレフィルター２１で大型の塵埃が捕集される。プレフィルター２１を通過した空気はアセトアルデヒド、アンモニア、酢酸等の臭気成分が脱臭フィルター２２で吸着される。脱臭フィルター２２を通過した空気は集塵フィルター２３で微細な塵埃が捕集される。フィルターユニット２０を通過した空気は送風機３０の周方向に気流路３４を流通する。      
【００５１】
気流路３４は舌部３３により気流幅が拡幅され、気流路３４の幅が吹出口１５の幅に略等しくなった位置で整流板３５によって気流路３４を流通する空気が整流される。これにより、気流路３４を流通する空気は気流方向が鉛直上方に一定の層流となって吹出口１５から室内に送出される。
【００５２】
尚、整流板３５を舌部３３に近づけすぎると、前述の図６において吹出口１５の左側から送出される空気が増加する。整流板３５が舌部３３から離れすぎると、同図において吹出口１５の右側から送出される空気が増加する。従って、適切な位置に整流板３５を配置することにより、気流を均一に分岐させて吹出口１５から均一な風量で空気を送出することができる。尚、本実施形態では、気流路３４の幅が吹出口１５の幅に略等しくなった位置に整流板３５を設けたので、図中、左方向への気流の偏りを防止することができる。
【００５３】
また、イオン発生装置４０は埃センサ８７及び臭いセンサ８８の検知結果に応じてイオンを発生する。例えば、埃センサ８７及び臭いセンサ８８で検知した塵埃量や臭気成分の量が予め設定された所定値よりも少ない場合は、放電電極１０５と誘電電極１０６の間に約３．５ｋＶの負電圧が印加される。これにより、Ｏ2-（Ｈ2Ｏ）mから成るマイナスイオン（ｍは自然数）が生成され、室内にマイナスイオンを含んだ空気が送出される。その結果、リラクゼーション効果を得ることができる。
【００５４】
埃センサ８７または臭いセンサ８８で検知した塵埃量や臭気成分の量の少なくとも一方が予め設定された所定値よりも多い場合は、放電電極１０５と誘電電極１０６の間にピーク電圧が約３．５ｋＶの交流電圧が印加される。これにより、Ｈ+（Ｈ2Ｏ）nから成るプラスイオン（ｎは自然数）と、Ｏ2-（Ｈ2Ｏ）mから成るマイナスイオン（ｍは自然数）が生成され、室内にプラスイオンとマイナスイオンを含んだ空気が送出される。その結果、室内の浮遊菌の殺菌が行われる。
【００５５】
送風機３０の回転数は吹出口１５から鉛直上方に送出される空気が室内の天井面（高さ約２．４ｍｍ）まで届くように設定されている。このため、室内の天井面に到達した空気は天井面に沿って左右に分割して流通し、側壁に沿って降下する。これにより、室内の隅々までイオンを含んだ空気が行き渡り、室内を均一なイオン濃度にすることができる。更に、プラスイオンとマイナスイオンにより室内の壁面のカビの発生を抑制できるとともに家具等の背後にイオンを流通させて室内全体を殺菌することができる。
【００５６】
整流板３５は、高さＨ（図５、図６参照）が低いと風向を可変する効果が低くなり、吹出口１５から左右方向の一方に偏って空気が送出される。また、高さＨが高いとイオンが整流板３５に衝突してイオン濃度が不安定となる。
【００５７】
表１は整流板３５の高さＨを可変した時の室内のイオン濃度を測定した結果を示している。測定位置は空気清浄機１から前方１２５ｃｍ、左右方向にそれぞれ１５０ｃｍ、高さ方向に１００ｃｍ離れた２点をイオンカウンターにより測定している。また、整流板３５の下端と舌部３３の頂点（舌部３３が左右方向に最も突出した位置）との距離Ｄ（図６参照）が３０ｍｍになっている。その結果、整流板３５の高さＨを３０ｍｍ〜５０ｍｍにすると空気清浄機１の左右でほぼ等しいイオン濃度となり、室内のイオン濃度を均一にすることができる。
【００５８】
【表１】
2007151998.tif 000003
【００５９】
本実施形態によると、鉛直に延びて羽根車３１の回転軸に平行な複数の整流板３５を渦巻き状の気流路３４の舌部３３と吹出口１５との間に配したので、イオンを含んだ空気が吹出口１５から均一に鉛直上方に送出され、左右に分かれて流通させることができる。従って、室内のイオンの分布を均一化し、迅速に浮遊菌の殺菌効果やリラクゼーション効果を得ることができる。
【００６０】
また、吹出口１５から鉛直上方に送出した空気を室内の天井面に沿って流通させるので、室内の天井面に沿って左右に分かれてイオンが室内に行き渡る。従って、室内の壁面のカビの発生を抑制できるとともに家具等の背後にイオンを流通させて室内全体を殺菌することができる。
【産業上の利用可能性】
【００６１】
本発明は、イオン発生装置を有し、室内の空気を浄化して室内に送出する空気清浄機及びそれを備えた空気清浄方法に利用することができる。
【図面の簡単な説明】
【００６２】
【図１】本発明の実施形態の空気清浄機の前面を示す斜視図
【図２】本発明の実施形態の空気清浄機の背面を示す斜視図
【図３】本発明の実施形態の空気清浄機を示す分解斜視図
【図４】本発明の実施形態の空気清浄機の本体部を示す斜視図
【図５】本発明の実施形態の空気清浄機を示す側面断面図
【図６】本発明の実施形態の空気清浄機を示す正面断面図
【図７】本発明の実施形態の空気清浄機のイオン発生装置を示す正面図
【図８】本発明の実施形態の空気清浄機のイオン発生装置を示す側面図
【図９】本発明の実施形態の空気清浄機のイオン発生素子を示す斜視図
【図１０】本発明の実施形態の空気清浄機の構成を示すブロック図
【図１１】従来の空気清浄機を示す正面断面図
【符号の説明】
【００６３】
１    空気清浄機
１０    本体部
１２    前面パネル
１４    吸気口
１５    吹出口
２０    フィルターユニット
２３    集塵フィルター
２４    凹部
２５    通風口
３０    送風機
３１    羽根車
３２    ケーシング
３３    舌部
３４    気流路
３５    整流板
４０    イオン発生装置
８０    操作パネル
１０１    イオン発生素子
１０５    放電電極
１０６    誘電電極
【図１】
2007151998.tif 000004
【図２】
2007151998.tif 000005
【図３】
2007151998.tif 000006
【図４】
2007151998.tif 000007
【図５】
2007151998.tif 000008
【図６】
2007151998.tif 000009
【図７】
2007151998.tif 000010
【図８】
2007151998.tif 000011
【図９】
2007151998.tif 000012
【図１０】
2007151998.tif 000013
【図１１】
2007151998.tif 000014